(57)【要約】【課題】従来、レースの投票締め切り時刻を客に伝える方法として場内アナウンスを行なったりしていた。電話投票端末では締め切り時刻を表示しているのみであった。そのため、電話投票端末で投票する場合、ログインし、オッズ情報等を確認している内に、次の締め切り時間を忘れてしまい気がついたら投票が締め切られたということも起きていた。【解決手段】センタ装置（１０１、１０２、１０４）において、残時間データベース及びレース進捗テーブルを記憶する手段と、投票予定レース毎に投票締め切り時刻までの残時間の計算手段と、投票端末の投票画面に表示する画面色及び画面色データを求める手段と、画面の画面色及び締め切りまでの残時間を投票端末へ送信する手段を備えている。また、投票端末（１００、１０３、９０）は受信データを基に残時間メッセージと共に画面をレース締め切りまでの残時間対応の画面色に変化させる手段を備えている。【選択図】  図１
2005228215.tif 000002
【特許請求の範囲】
【請求項１】
センタ装置と投票端末を通信回線で接続し、競馬、競輪、オートレース、競艇を含む公営競技の投票に使用する投票システムのセンタ装置において、
投票予定レースの投票締め切り時刻までの残時間に応じて投票端末の画面を変化させるための画面色及び画面色データを含む情報を格納した残時間データベース及びレース毎の進捗データを格納したレース進捗テーブルを記憶するデータ記憶手段と、
前記データ記憶手段のデータ及び内部の時計を参照することで、投票予定レース毎に投票締め切り時刻までの残時間を計算する残時間計算手段と、
前記残時間計算手段による求めた残時間を基に、前記データ記憶手段のデータを参照することで、投票端末の投票画面に表示する画面色及び画面色データを獲得する画面色情報獲得手段と、
前記各手段で求めた画面色情報及び投票締め切り時刻までの残時間情報を投票端末へ送信する通信制御手段を備えていることを特徴とするセンタ装置。
【請求項２】
電話投票端末からの投票データを受信する投票データ受信手段と、
電話投票端末から投票データを受信した際、内部の時計及び前記データ記憶手段のデータを参照することで投票予定レースが締め切られているか否かを判断し、締め切られていれば前記レース進捗テーブルからレース締め切りフラグを取得して電話投票端末へ送信し、締め切られていなければ、前記残時間計算手段及び画面色情報獲得手段で得た情報を電話投票端末へ送信する電話投票端末情報制御手段を備えていることを特徴とする請求項１記載のセンタ装置。
【請求項３】
前記データ記憶手段のレース進捗テーブルに対し、次に出走する予定のレース番号をセットし、内部の時計から現在時刻を確認して次出走レースの投票締め切り時刻をセットし、投票締め切りまでの残時間を計算するデータセット／残時間計算手段と、
前記計算した残時間を前記データ記憶手段の残時間データベースのデータと比較して残時間データベースの範囲が前回と同じか否かを判断し、同じ範囲でなくなったら、残時間デーベースを確認し、残時間の範囲に該当する画面色データをセットし、残時間及び画面色情報を投票端末へ送信する制御手段を備えていることを特徴とする請求項１記載のセンタ装置。
【請求項４】
センタ装置と投票端末を通信回線で接続し、競馬、競輪、オートレース、競艇を含む公営競技の投票に使用する投票システムの投票端末において、
セットした投票画面に投票予定レース番号をセットし、投票予定レースの投票締め切り時刻までの残時間及び画面色情報の要求をセンタ装置へ送信する投票情報送信手段と、
前記要求の送信に対し、センタ装置から送られた投票締め切り時刻までの残時間情報及び画面色情報を受信するセンタ情報受信手段と、
センタ装置から受信した画面色が現在表示されている画面の画面色と同じか否かを判断し、同じでなければ投票端末の画面色を変更して残時間を表示し、同じならばそのまま残時間を表示する表示制御手段と、
次の残時間データを受信するまで内部の時計を使って、経過時間をカウントダウンしてその情報を表示するカウントダウン表示手段と、
前記カウントダウンによりレース締め切りまでの残時間範囲を超えたら、前記データ記憶手段のデータを参照して、新しい残時間範囲の画面色に変更する画面色制御手段を備えていることを特徴とする投票端末。
【請求項５】
センタ装置と投票端末を通信回線で接続し、競馬、競輪、オートレース、競艇を含む公営競技の投票に使用する投票システムの投票端末において、
センタ装置から送られたレース毎の投票締め切り時刻までの残時間及び画面色情報を割り込み受信するセンタ情報受信手段と、
センタ装置から受信した画面色が現在表示されている画面の画面色と同じか否かを判断し、同じでなければ投票端末の画面色を変更して残時間を表示し、同じならばそのまま残時間を表示する表示制御手段と、
前記残時間表示した後、内部の時計を参照して表示した残時間からカウントダウンして、その情報を基に画面にカウントダウン表示するカウントダウン制御手段を備えていることを特徴とする投票端末。
【発明の詳細な説明】
【技術分野】
【０００１】
本発明は、センタ装置と投票端末を通信回線で接続し、競馬、競輪、オートレース、競艇を含む公営競技の投票に使用する投票システムのセンタ装置及び投票端末に関する。
【背景技術】
【０００２】
(1) ：従来例１の説明
従来、例えば、競馬等の公営競技の投票において、投票締め切り時刻までの残時間を客に伝える方法として、場内アナウンスを行なったり、投票券発売機では時間のみ表示していた。また、電話投票端末では、締め切り時間まであと何分という表示はなく、あくまで投票締め切り時刻を表示しているのみであった。
【０００３】
(2) ：従来例２
以下、特許文献１を従来例２として説明する。
【０００４】
従来例２は、文字放送番組に付加した表示制御データに基づき、自動的に表示画面の制御が行なえる競技場向け情報表示画面制御システムに関するものであり、次のように構成している。
【０００５】
すなわち、競技の映像手段による実況情報や文字放送手段などによる競技投票情報などを多数の表示端末装置に送出し、表示端末装置の表示画面の制御信号を送出する制御出力手段を有するセンター装置と、放送通信接続する放送通信回線と、実況情報や競技投票情報を受信し、該制御信号に基づき情報表示画面を表示制御する表示端末装置と、実況情報や競技情報などを表示出力するＰＤＰ（Plasma Display Panel）などの大型表示装置とで構成する。
【特許文献１】特開２０００−５０２５０号公報
【発明の開示】
【発明が解決しようとする課題】
【０００６】
(1) ：従来例１では、例えば、競馬等の公営競技の投票において、投票締め切り時刻までの残時間を客に伝える方法として、場内アナウンスを行なったり、投票券発売機では時間のみ表示していた。また、電話投票端末では、締め切り時間まであと何分という表示はなく、あくまで投票締め切り時刻を表示しているのみであった。
【０００７】
そのため、電話投票端末で投票する場合、ログインし、オッズ情報等を確認している内に、次の締め切り時間を忘れてしまい気がついたら投票が締め切られた、ということも起きていた。
【０００８】
(2) ：従来例２では、文字放送番組に付加した表示制御データに基づき、自動的に表示画面の制御が行なえるようにしたものである。このため、文字放送番組を必須構成要件としており、他の技術には使用できない。また、従来例２では競技の締め切り時間に合わせて画面の表示色を変化させる技術については開示されていない。
【０００９】
本発明は前記課題を解決し、公営競技の投票システムにおいて、競技場内／外の投票端末、或いは利用者宅内の電話投票端末等の投票端末から投票を行う際に、レース毎の投票締め切り時刻に対応させて投票端末の表示画面の画面色を変化させることにより、確実に残り時間の情報を伝えることができるようにすることを目的とする。
【課題を解決するための手段】
【００１０】
本発明は前記の目的を達成するため、次のように構成した。
【００１１】
(1) ：センタ装置（投票ホスト、電話投票サーバ、携帯／在席投票端末用投票サーバ等を含む装置）と投票端末（電話投票端末、携帯／在席投票端末、投票券自動発売機等を含む端末）を通信回線（有線／無線の通信回線）で接続し、競馬、競輪、オートレース、競艇を含む公営競技の投票に使用する投票システムのセンタ装置において、投票予定レースの投票締め切り時刻までの残時間に応じて投票端末の画面を変化させるための画面色及び画面色データを含む情報を格納した残時間データベース及びレース毎の進捗データを格納したレース進捗テーブルを記憶するデータ記憶手段と、前記データ記憶手段のデータ及び内部の時計を参照することで、投票予定レース毎に投票締め切り時刻までの残時間を計算する残時間計算手段と、前記残時間計算手段による求めた残時間を基に、前記データ記憶手段のデータを参照することで、投票端末の投票画面に表示する画面色及び画面色データを獲得する画面色情報獲得手段と、前記各手段で求めた画面色情報及び締め切りまでの残時間情報を投票端末へ送信する通信制御手段を備えていることを特徴とする。
【００１２】
(2) ：前記(1) のセンタ装置において、電話投票端末からの投票データを受信する投票データ受信手段と、電話投票端末から投票データを受信した際、内部の時計及び前記データ記憶手段のデータを参照することで投票予定レースが締め切られているか否かを判断し、締め切られていれば前記レース進捗テーブルからレース締め切りフラグを取得して電話投票端末へ送信し、締め切られていなければ、前記残時間計算手段及び画面色情報獲得手段で得た情報を電話投票端末へ送信する電話投票端末情報制御手段を備えている。
【００１３】
(3) ：前記(1) のセンタ装置において、前記データ記憶手段のレース進捗テーブルに対し、次に出走する予定のレース番号をセットし、内部の時計から現在時刻を確認して次出走レースの投票締め切り時刻をセットし、投票締め切りまでの残時間を計算するデータセット／残時間計算手段と、前記計算した残時間を前記データ記憶手段の残時間データベースのデータと比較して残時間データベースの範囲が前回と同じか否かを判断し、同じ範囲でなくなったら、残時間デーベースを確認し、残時間の範囲に該当する画面色データをセットし、残時間及び画面色情報を投票端末へ送信する制御手段を備えていることを特徴とする。
【００１４】
(4) ：センタ装置と投票端末を通信回線で接続し、競馬、競輪、オートレース、競艇を含む公営競技の投票に使用する投票システムの投票端末において、セットした投票画面に投票予定レース番号をセットし、投票予定レースの投票締め切り時刻までの残時間及び画面色情報の要求をセンタ装置へ送信する投票情報送信手段と、前記要求の送信に対し、センタ装置から送られた投票予定レースの投票締め切り時刻までの残時間情報及び画面色情報を受信するセンタ情報受信手段と、センタ装置から受信した画面色が現在表示されている画面の画面色と同じか否かを判断し、同じでなければ投票端末の画面色を変更して残時間を表示し、同じならばそのまま残時間を表示する表示制御手段と、次の残時間データを受信するまで内部の時計を使って、経過時間をカウントダウンしてその情報を表示するカウントダウン表示手段と、前記カウントダウンによりレース締め切りまでの残時間範囲を超えたら、前記データ記憶手段のデータを参照して、新しい残時間範囲の画面色に変更する画面色制御手段を備えていることを特徴とする。
【００１５】
(5) ：センタ装置と投票端末を通信回線で接続し、競馬、競輪、オートレース、競艇を含む公営競技の投票に使用する投票システムの投票端末において、センタ装置から送られたレース毎の投票締め切り時刻までの残時間及び画面色情報を割り込み受信するセンタ情報受信手段と、センタ装置から受信した画面色が現在表示されている画面の画面色と同じか否かを判断し、同じでなければ投票端末の画面色を変更して残時間を表示し、同じならばそのまま残時間を表示する表示制御手段と、前記残時間表示した後、内部の時計を参照して表示した残時間からカウントダウンして、その情報を基に画面にカウントダウン表示するカウントダウン制御手段を備えていることを特徴とする。
【００１６】
（作用）
図１は本発明の原理説明図である。以下、図１に基づいて前記各構成の作用を説明する。
【００１７】
(a) ：前記(1) の作用    
センタ装置（投票ホスト１０１、電話投票サーバ１０２、携帯／在席投票端末用投票サーバ１０４）では、残時間計算手段はデータ記憶手段のデータ及び内部の時計を参照することで投票予定レース毎に投票締め切り時刻までの残時間を計算する。画面色情報獲得手段は残時間計算手段による求めた残時間を基に前記データ記憶手段のデータを参照することで投票端末の投票画面に表示する画面色及び画面色データを獲得する。通信制御手段は前記各手段で求めた画面色情報及び投票締め切り時刻までの残時間情報を投票端末（電話投票端末９０、携帯／在席投票端末１００、投票券自動発売機１０３等）へ送信する。
【００１８】
(b) ：前記(2) の作用  
センタ装置では、前記(a) の作用に加え、投票データ受信手段は電話投票端末９０からの投票データを受信する。そして、電話投票端末情報制御手段は電話投票端末９０から投票データを受信した際内部の時計及び前記データ記憶手段のデータを参照することで投票予定レースの投票が締め切られているか否かを判断し、締め切られていれば前記レース進捗テーブルからレース締め切りフラグを取得して電話投票端末９０へ送信し、締め切られていなければ、前記残時間計算手段及び画面色情報獲得手段で得た情報を電話投票端末９０へ送信する。
【００１９】
(c) ：前記(3) の作用  
センタ装置は前記(a) の作用に加え、データセット／残時間計算手段はデータ記憶手段のレース進捗テーブルに対し次に出走する予定のレース番号をセットし、内部の時計から現在時刻を確認して次出走レースの発売締め切り時刻をセットし、レースの投票締め切り時刻までの残時間を計算する。
【００２０】
また、制御手段は前記計算した残時間を前記データ記憶手段の残時間データベースのデータと比較して残時間データベースの範囲が前回と同じか否かを判断し、同じ範囲でなくなったら残時間デーベースを確認し残時間の範囲に該当する画面色データをセットし、残時間及び画面色情報を投票端末（携帯／在席投票端末１００、投票券自動発売機１０３等）へ送信する。
【００２１】
(d) ：前記(4) の作用  
投票端末（例えば、電話投票端末９０）では、投票情報送信手段はセットした投票画面に投票予定レース番号をセットし、投票予定レースの投票締め切り時刻までの残時間及び画面色情報の要求をセンタ装置へ送信する。次に、センタ情報受信手段は前記要求の送信に対しセンタ装置から送られた投票締め切り時刻までの残時間情報及び画面色情報を受信する。
【００２２】
また、表示制御手段はセンタ装置から受信した画面色が現在表示されている画面の画面色と同じか否かを判断し、同じでなければ投票端末の画面色を変更して残時間を表示し、同じならばそのまま残時間を表示する。そして、カウントダウン表示手段は次の残時間データを受信するまで内部の時計を使って、経過時間をカウントダウンしてその情報を表示する。画面色制御手段は、カウントダウンによりレース締め切りまでの残時間範囲を超えたら、前記データ記憶手段のデータを参照して、新しい残時間範囲の画面色に変更する。      
【００２３】
(e) ：前記(5) の作用  
投票端末（例えば、携帯／在席投票端末１００、投票券自動発売機１０３）では、センタ情報受信手段がセンタ装置から送られたレースの投票締め切り時刻までの残時間及び画面色情報を割り込み受信する。次に、表示制御手段はセンタ装置から受信した画面色が現在表示されている画面の画面色と同じか否かを判断し、同じでなければ投票端末の画面色を変更して残時間を表示し、同じならばそのまま残時間を表示する。カウントダウン制御手段は残時間表示した後、内部の時計を参照して表示した残時間からカウントダウンしてその情報を基に画面にカウントダウン表示する。
【００２４】
以上のようにすれば、公営競技の投票システムにおいて、競技場内／外の投票端末、或いは利用者宅内の電話投票端末等の投票端末から投票を行う際に、レース毎の投票締め切り時刻に対応させて投票端末の表示画面の画面色を変化させることにより、確実に残り時間の情報を伝えることができるようになる。
【発明の効果】
【００２５】
本発明は、前記(1) 乃至(5) の構成により次のような効果がある。
【００２６】
(a) ：例えば、利用者宅内の電話投票端末（バソコン等）では、投票画面以外の画面であっても、ホストに接続して情報を取得する度に、次レース迄の残時間の最新情報を取得し、時間表示のみならず、画面色を変化させることで積極的にファンに残時間を伝えることが可能になる。
【００２７】
(b) ：競技場内における携帯端末からの投票においては、ホストから一方的に残時間情報を送信することができるので、例えば、レストランで食事中であっても、直接競技場内の情報に触れることができない場所にいたとしても、確実に残時間を伝えることが可能になる。
【００２８】
(c) ：公営競技の投票システムにおいて、競技場内／外の投票端末、或いは利用者宅内の電話投票端末等の投票端末から投票を行う際に、レース毎の投票締め切り時刻に対応させて投票端末の表示画面の画面色を変化させることにより、確実に残り時間の情報を伝えることができるようになる。
【発明を実施するための最良の形態】
【００２９】
以下、本発明に係る投票システムのセンタ装置及び投票端末を実施するための最良の形態について説明する。
【００３０】
§１：投票システムと該投票システムに接続された装置等の説明
(1) ：投票システムの説明
図２はシステム構成の説明図である。このシステムは、競馬、競輪、オートレース、競艇等の公営競技の投票システムとして使われるものであり、図２にその１例が図示されている。
【００３１】
この投票システムでは、競技場内／外システムと、利用者宅内装置がある。前記競技場内／外システムは、競技場内と競技場外に設置された装置で構成され、その中には、センタに設置されたセンタ装置と、該センタ装置に通信回線等で接続された装置（投票端末等）等が存在する。例えば、携帯／在席投票端末１００、投票券自動発売機１０３等である。
【００３２】
例えば、前記センタ装置には、投票ホスト１０１と、電話投票サーバ１０２と、携帯／在席投票端末用投票サーバ１０４等が設置されている。この場合、投票ホスト１０１は投票に関する各種情報を収集したり、投票処理、外部の投票端末等の制御等を行なったりするものである。
【００３３】
また、電話投票サーバ１０２は、公衆網やインターネットを介して利用者宅内の電話投票端末９０等に接続され、電話投票端末９０等に対する各種制御を行なうものである。また、携帯／在席投票端末用投票サーバ１０４は、有線や無線通信回線を介して携帯／在席投票端末１００等に接続され、投票時の各種制御を行うものである。投票券自動発売機１０３は、投票ホスト１０１に接続され、投票ホスト１０１により各種制御が行なわれるようになっている。
【００３４】
(2) ：競技場内／外システムの構成例の説明
図３は競技場内／外システムの構成例を示した図である。この例では、前記競技場内／外システムとして図３に図示したような装置が設置されている。この例の場合、投票ホスト１０１と、電話投票サーバ１０２と、携帯／在席投票端末用投票サーバ１０４がセンタ装置を構成している。
【００３５】
そして、前記センタ装置には、競技場内ＬＡＮを介して在席投票端末１１０が接続されている。また、前記競技場内ＬＡＮには場内無線ＬＡＮが設置されており、この場内無線ＬＡＮには、場内無線ＬＡＮアンテナが設置されており、この場内無線ＬＡＮアンテナに対し、無線送受信可能な複数の携帯投票端末１０６が無線通信可能な状態で接続されている。また、投票ホスト１０１には、通信回線を介して多数の投票券自動発売機１０３が設置されている。
【００３６】
(3) ：利用者宅内の電話投票端末の説明
図４は利用者宅内機器例を示した図である。図４に示したように、利用者宅内には、携帯電話１０７と、専用端末１０８と、パソコン（パーソナルコンピュータ）１０９等の機器が設置されている。これらの機器は、何れの機器も電話投票端末であり、公衆網又はインターネットにより前記電話投票サーバ１０２に接続されている。
【００３７】
(4) ：競技場内／外システムと利用者宅内機器とを含めた全体の説明
前記投票ホスト１０１は投票処理を行うホストコンピュータのことであり、投票券発売機１０３や携帯電話１０７、パソコン通信等を利用した投票専用端末１０８、同じくパソコン通信やインターネットを利用とて投票を行うためのパソコン１０９等の電話投票端末等から送られてくる投票データを集計処理する。
【００３８】
電話投票サーバ１０２は携帯電話１０７や専用端末１０８やパソコン１０９から行う電話投票のデータを受け付けるサーバであり、投票ホスト１０１との中継を行うものである。携帯／在席投票端末用投票サーバ１０４は、競技場内に設置してある在席投票端末１１０や、携帯投票端末１０６からの投票データを受け付けるサーバであり、投票ホスト１０１との中継を行うものである。
【００３９】
在席投票端末１１０は、競技場内の特別観覧席やロイヤル席等に設置してあり、利用者が座ったまま画面をタッチすることでキャッシュレス（事前に現金をＩＣカード等にチャージして、投票する毎に自動的に差し引かれる）／ペーパーレス（画面をタッチして投票するため、投票券を発券する必要がない）の投票を行うことができる専用端末である。
【００４０】
携帯投票端末１０６は、競技場内に設置してある無線ＬＡＮアンテナを介して無線通信を行うことで、在席投票端末１１０同様にキャッシュレス／ペーパーレスを実現できるＰＤＡ（Personal Digital Assistance ）やノートパソコンを用いた投票端末である。投票券自動発売機１０３は、競技場内／外に設置してある機器である。
【００４１】
なお、現在電話投票端末は、音声による電話や携帯電話を除き、携帯電話によるｉモード（登録商標）等を使った投票、電話回線を通して取得した情報をテレビに表示させることが可能な専用端末による投票、インターネット等を使ってパソコンから行う投票などがある。
【００４２】
§２：各装置の詳細な構成の説明
(1) ：センタ装置の詳細な構成の説明
図５は電話投票サーバを含むセンタ装置の構成図である。図５に示したように、センタ装置には、投票ホスト１０１と、電話投票サーバ１０２が設置されている。そして、前記電話投票サーバ１０２には、装置内の主制御を行うための主制御部（ＣＰＵ）１と、電話投票端末の各種管理を行うための端末管理部２と、時刻情報を持つ時計３と、投票ホスト１０１との通信を行うホスト側通信制御部４と、電話投票端末による投票情報の管理を行う端末投票情報管理部５と、レース毎の投票締め切り時刻までの残時間の管理を行う締め切り時間／表示色管理部６と、残時間データベースやレース進捗テーブル等のデータを記憶させるためのデータ記憶部７と、電話投票端末９０との通信を行う端末側通信制御部８等が設けてある。
【００４３】
なお、前記端末管理部２と、端末投票情報管理部５と、締め切り時間／表示色管理部６は、それぞれプログラムで構成し、このプログラムを主制御部（ＣＰＵ）１が実行することで、後述するセンタ装置（投票ホスト１０１と電話投票サーバ１０２を含む装置）の処理を実現する。
【００４４】
(2) ：利用者宅内の電話投票端末の構成の詳細な説明
図６は利用者宅内の電話投票端末の構成図である。図６に示したように、利用者宅内の電話投票端末９０には、投票画面等の表示を行う表示装置１１と、表示装置１１の表示制御を行う表示画面制御部１２と、時刻情報を持つ時計１３と、センタ装置の電話投票サーバ１０２との通信を行う通信制御部１４と、投票締め切り時刻までの残時間及び画面表示色制御を行う締め切り時間／画面表示色制御部１５と、投票情報の制御を行う投票情報制御部１６と、残時間データベースやレーシ進捗テーブル等のデータを記憶させるためのデータ記憶部１７と、制御部１８等が設けてある。
【００４５】
なお、前記表示画面制御部１２と、締め切り時間／画面表示色制御部１５と、投票情報制御部１６と、各種制御を行う制御部１８はそれぞれプログラムで構成し、このプログラムを内部のＣＰＵが実行することで、後述する電話投票端末９０の処理を実現する。
【００４６】
(3) ：携帯／在席投票端末用投票サーバを含むセンタ装置の構成の詳細な説明
図７は、携帯／在席投票端末用投票サーバを含むセンタ装置の構成図である。図７に示したように、センタ装置には、投票ホスト１０１と、携帯／在席投票端末用投票サーバ１０４が設置されている。そして、前記携帯／在席投票端末用投票サーバ１０４には、装置内の主制御を行うための主制御部（ＣＰＵ）２１と、時刻情報を持つ時計２３と、投票ホスト１０１との通信を行うホスト側通信制御部２４と、投票端末から受信した投票情報の管理を行う端末投票情報管理部２５と、レース毎の投票締め切り時刻までの残時間及び画面表示色制御を行う締め切り時間／表示色管理部２６と、残時間データベースやレース進捗テーブル等のデータを記憶させるためのデータ記憶部２７と、投票端末との通信を行う端末側通信制御部２８等が設けてある。
【００４７】
なお、前記端末投票情報管理部２５と、締め切り時間／表示色管理部２６は、それぞれプログラムで構成し、このプログラムを主制御部（ＣＰＵ）２１が実行することで、後述するセンタ装置（投票ホスト１０１と、携帯／在席投票端末様サーバ１０４を含む装置）の処理を実現する。
【００４８】
(4) ：携帯／在席投票端末の構成の詳細な説明
図８は携帯／在席投票端末の構成図である。図８に示したように、携帯／在席投票端末には、投票画面等の表示を行う表示装置３１と、表示装置３１の表示制御を行う表示画面制御部３２と、時刻情報を持つ時計３３と、センタ装置の携帯／在席投票端末用投票サーバ１０４との通信を行う通信制御部３４と、レース毎の投票締め切り時刻までの残時間及び画面表示色制御を行う締め切り時間／画面表示色制御部３５と、投票情報の制御を行う投票情報制御部３６等が設けてある。
【００４９】
なお、前記表示画面制御部３２と、締め切り時間／画面表示色制御部３５と、投票情報の制御を行う投票情報制御部３６は、それぞれプログラムで構成し、このプログラムを内部のＣＰＵが実行することで、後述する携帯／在席投票端末の処理を実現する。
【００５０】
§３：各装置の処理の説明
以下、図に基づいて、前記各装置の処理を説明する。
【００５１】
(1) ：電話投票端末における投票予定レースの残時間情報取得処理の説明
図９は電話投票端末における投票予定レースの残時間情報取得処理フローチャートである。以下、図９に基づいて、電話投票端末における投票予定レースの残時間情報取得処理を説明する。なお、図９の２０１乃至２１８は各処理ステップを示す。
【００５２】
この処理は、利用者宅内の電話投票端末９０から前記ネットワーク（電話回線を利用したパソコン通信等）を介して投票する際の、残時間表示及び画面色変更処理である。なお、以下の処理を開始する際、図５に示したデータ記憶部７（センタ装置）及びデータ記憶部１７（電話投票端末）に、残時間データベースとレース進捗テーブルを記憶させておく。
【００５３】
先ず、利用者がこれら電話投票端末９０の表示装置１１に投票用の画面を表示する（２０１）。利用者が電話投票端末９０にて、投票画面の投票希望レースを選択した時点で、投票予定レース番号をセットする（２０２）。そして、投票情報制御部１６は表示画面から入力された情報を取り込んで、投票する予定レースの投票締め切り時刻までの残時間、画面色、画面色データの要求信号（投票情報も含む）を作成し、該作成したデータを通信制御部１４からセンタ装置の電話投票サーバ１０２へ送信する（２０３）。
【００５４】
電話投票サーバ１０２では、端末投票情報管理部５がデータ記憶部７に記憶されているレース進捗テーブルを参照し、受信した投票予定レースのレース番号を前記レース進捗テーブルのレース番号と比較し、指定レースが締め切られていないかどうかを確認し（２０４）、（締め切りフラグが「未」の場合は締め切られていない）締め切られていなければ締め切り時間をレース進捗テーブルから取得し、現在時刻と比較しその差分を計算し残時間ｔを算出する（２０５）。
【００５５】
また、締め切られていれば、端末管理部２は電話投票端末にレース締め切りフラグを含む電文を作成し、端末側通信制御部８から電話投票端末へ前記電文を送信する（２１８）。一方、電話投票端末９０では通信制御部１４がホスト装置からの締め切りフラグを受信した際、表示画面制御部１２は表示装置１１の画面に予定レースの締め切り表示を行い（２１７）この処理を終了する。
【００５６】
また、電話投票サーバ１０２では前記のようにして２０５の処理が終了したら、締め切り時間／表示色管理部６はデータ記憶部７のレース進捗テーブルを参照して、残時間ｔが残時間テーブルの残時間のどの範囲に入るかを確認する（２０６）。確認後、残時間に対応する画面色データ、残時間データ、残時間ｔを残時間データベースにセットし（２０７）、セット後、端末管理部２は、前記残時間に対応する画面色データ、残時間データ、残時間ｔを含む電文を作成し、端末側通信制御部８から電話投票端末９０へ送信する（２０８）。
【００５７】
電話投票端末９０では通信制御部１４が前記電話投票サーバ１０２からのデータを受信し（２０９）、締め切り時間／画面表示色制御部１５は受信した画面色データと画面に現在表示している画面色と比較し（２１０）、同じであれば画面色はそのままで、受信した残時間を更新し、表示画面制御部１２は表示装置１１の画面に残時間を表示する（２１２）。  また、受信した画面色データと現在表示している画面色が異なる場合は、電話投票端末９０の画面色を受信した画面色データに従って変更する（２１１）。表示のさせ方は、利用者に分かりやすいように画面全体または画面の一部を変更する。画面の画面色（表示色）を変更した後は、前記受信した残時間を画面に表示させる（２１２）。
【００５８】
次に、締め切り時間／画面表示色制御部１５は、前記画面色データ、残時間データ、残時間ｔを受信するまでは、オンラインで前記画面に表示した残時間を、電話投票端末内部の時計１３を使ってカウントダウン表示させる（２１３）。画面色もデータ記憶部１７に記憶している残時間データベースを基に、残時間の範囲（０分〜３分、３分〜５分毎の範囲）を超えると（２１４）、該当する画面色に変更する（２１５）。
【００５９】
例えば、残時間が３分以上から３分未満に減った時、オフラインで画面色もＬｉｍｅからＲｅａｄに変更させる。残時間をカウントダウンしていく内、残時間が０になった時点で（２１６）、画面に予定レースを締め切ったことを表示する（２１７）。
【００６０】
(2) ：競技場内投票端末における投票予定レースの残時間情報取得処理の説明
図１０は競技場内投端末における投票予定レースの残時間情報取得処理フローチャートである。以下、図１０に基づいて、競技場内投票端末における投票予定レースの残時間情報取得処理を説明する。なお、図１０の３０１乃至３１３は各処理ステップを示す。
【００６１】
図１０に示した処理は、競技場内専用の携帯投票端末１０６や在席投票端末１１０を使用して投票を行う場合に、残時間表示及び画面色変更を行う処理である。携帯／在席投票端末１００は競技場内で利用するため、電話投票端末９０を利用する場合と異なり、残時間を管理するサーバ（ここでは携帯／在席投票端末用投票サーバ）からダイレクトに残時間データ、画面色データを送りつけることができるため、より正確な表示となる。なお、以下の処理を開始する際、図７に示したデータ記憶部２７（センタ装置）に、残時間データベースとレース進捗テーブルを記憶させておく。
【００６２】
携帯／在席投票端末用投票サーバ１０４では、締め切り時間／表示色管理部２６が、次に出走する予定のレース番号をセットしたまま（３０１）、現在時刻(1) を確認し（３０２）、次に出走するレースの発売締め切り時刻(2) （投票締め切り時刻）を、データ記憶部２７に予め記憶してあるレース進捗テーブルの締め切りフラグの「未」、「済」を確認した後、取り出しセットする（３０３）。
【００６３】
次に、締め切り時間／表示色管理部２６は、内部の時計２３を使用して現在時刻を取得し、前記発売締切時刻(2) （投票締め切り時刻）から現在時刻(1) を差し引いて、残時間(3) を算出する（３０４）。残時間(3) をデータ記憶部２７に予め記憶してある残時間データベースの残時間と比較し、残時間の範囲を決定し、前回の範囲と同じかどうかを確認する（３０５）。
【００６４】
その結果、前回と残時間の範囲が同じ場合は、３０２の処理に戻り、範囲が変化するまでループを繰り返す。また、異なる場合は、残時間データベースの残時間(3) の範囲に該当する画面色データをセットする（３０６）。その後、端末側通信制御部２８から残時間(3) 、画面色及び画面色データを携帯投票端末１０６や在席投票端末１１０へ送信する（３０７）。次に、最終レース終了か否かを判断し（３０８）、終了でなければ３０１の処理へ移行し、終了ならばこの処理を終了する。
【００６５】
携帯投票端末１０６や在席投票端末１１０では、通信制御部３４はセンタ装置からの残時間、画面色、画面色データを割り込み受信し（３０９）、締め切り時間／画面表示色制御部３５が表示色データと現在の画面色データを比較し（３１０）、同じ場合はそのままで、残時間のみ更新し表示する（３１２）。受信した画面色が現在画面色と異なる場合は、画面色を変更した後（３１１）、残時間を更新、表示画面制御部３２は表示装置３１の画面に前記残時間を表示する（３１２）。その後は表示した時間からカウントダウン表示する（３１３）。
【００６６】
(3) ：残時間データベースのダウンロード処理の説明
図１１は残時間データベースのダウンロード処理フローチャートである。以下、図１１に基づいて、残時間データベースのダウンロード処理を説明する。なお、図１１の４０１乃至４０７は各処理ステップを示す。
【００６７】
図１１の処理は、電話投票端末にて残時間、画面色を変更させる場合に、図９の処理における残時間範囲を超えたかどうかをチェックし（２１４）、超えた場合は新しい残時間範囲の画面色に変更するために必要な「残時間データベース」を、電話投票サーバ１０２から電話投票端末へ送信するための処理である。
【００６８】
電話投票端末では、電話投票サーバにログインする際に、制御部１８がデータ記憶部１７に予め記憶してあるＩＤ、パスワードを取り出し、通信制御部１４から電話投票サーバ１０２へ送信する（４０６）、そして、電話投票サーバ１０２で受信した後、利用者認証を行い（４０１）、認証結果を端末側通信制御部８から電話投票端末に送信する（４０２）。
【００６９】
そして、電話投票サーバ１０２では、前記認証において認証ＯＫの場合、投票要綱等を電話投票端末へ送信した後（４０３）、電話投票サーバ内のデータ記憶部７にセットされた残時間データベースを送信用にセットする（４０４）。セットした残時間データベースを端末側通信制御部８から電話投票端末へ送信し（４０５）、電話投票端末では受信した後、内部のデータ記憶部１７にセットする（４０７）。
【００７０】
§４：投票画面とデータの説明
(1) ：投票画面の説明
図１２は投票画面例である。図の５０１は残時間を中心とした案内を表示するエリアである。５０２は投票する場名やレース番号、式別、金額を入力するエリアである。５０３は残時間に合わせて変化させる画面色変更エリアである。このエリアは画面の一部又は全部であっても良い。５０５は投票情報を入力するエリアである。５０４はその投票結果を表示するエリアである。
【００７１】
なお、図１２に示した投票画面例は、前記電話投票端末９０、携帯／在席投票端末１００等の画面例である。
【００７２】
(2) ：データ例の説明
図１３のＡ図は残時間データベースである。残時間範囲に応じた残時間データ、画面色データ、画面色をセットしておく。このテーブルは設定を変更することが可能とする。このデータベースは前記のように、電話投票端末９０へは共通の情報を保持するため、ログイン時に送信する。
【００７３】
また、図１３のＢ図はレース進捗テーブルである。このレース進捗テーブルでは、センタ装置において、各レース毎に締切時間を事前に設定しておき、締め切られる前は締め切りフラグを「未」と設定しておき、締め切られると同時に「済」に設定し直す。
【図面の簡単な説明】
【００７４】
【図１】本発明の原理説明図である。
【図２】実施の形態におけるシステム構成の概要を示す図である。
【図３】実施の形態における競技場内／外システムの構成例である。
【図４】実施の形態における利用者宅内機器例である。
【図５】実施の形態における電話投票サーバを含むセンタ装置の構成図である。
【図６】実施の形態における利用者宅内の電話投票端末の構成図である。
【図７】実施の形態における携帯／在席投票端末用投票サーバを含むセンタ装置の構成図である。
【図８】実施の形態における携帯／在席投票端末の構成図である。
【図９】実施の形態における電話投票端末における投票予定レースの残時間情報取得処理フローチャートである。
【図１０】実施の形態における競技場内投票端末における投票予定レースの残時間取得処理フローチャートである。
【図１１】実施の形態における残時間データベースのダウンロード処理フローチャートである。
【図１２】実施の形態における投票画面例である。
【図１３】実施の形態におけるデータ例であり、Ａ図は残時間データベース、Ｂ図はレース進捗テーブルの図である。
【符号の説明】
【００７５】
１  主制御部（ＣＰＵ）
２  端末管理部
３  時計
４  ホスト側通信制御部
５  端末投票情報管理部
６  締め切り時間／表示色管理部
７  データ記憶部
８  端末側通信制御部
１１  表示装置
１２  表示画面制御部
１３  時計
１４  通信制御部
１５  締め切り時間／画面表示色制御部
１６  投票情報制御部
１７  データ記憶部
２１  主制御部（ＣＰＵ）
２３  時計
２４  ホスト側通信制御部
２５  端末投票情報管理部
２６  締め切り時間／表示色管理部
２７  データ記憶部
２８  端末側通信制御部
３１  表示装置
３２  表示画面制御部
３３  時計
３４  通信制御部
３５  締め切り時間／画面表示色制御部
３６  投票情報制御部
９０  電話投票端末
１００  携帯／在席投票端末
１０１  投票ホスト
１０２  電話投票サーバ
１０３  投票券自動発売機
１０４  携帯／在席投票端末用投票サーバ
１０５  場内無線ＬＡＮ
１０６  携帯投票端末
１０７  携帯電話
１０８  専用端末
１０９  パーソナルコンピュータ（パソコン）
１１０  在席投票端末
【図１】
2005228215.tif 000003
【図２】
2005228215.tif 000004
【図３】
2005228215.tif 000005
【図４】
2005228215.tif 000006
【図５】
2005228215.tif 000007
【図６】
2005228215.tif 000008
【図７】
2005228215.tif 000009
【図８】
2005228215.tif 000010
【図９】
2005228215.tif 000011
【図１０】
2005228215.tif 000012
【図１１】
2005228215.tif 000013
【図１２】
2005228215.tif 000014
【図１３】
2005228215.tif 000015